(57)【要約】      （修正有）【課題】胴ベルト型及びハーネス型の安全帯を着脱可能な構造を有する安全帯を提供する。【解決手段】作業者の肩部に装着される肩ベルト２０１Ａ，２０１Ｂと、前記肩と一体に設けられ、前記作業者の腿部に装着される腿ベルト２０３Ａ，２０３Ｂと、前記肩ベルト及び前記腿ベルトの結合位置において前記肩ベルト及び前記腿ベルトとともに一体に設けられるバックル２１７Ａ，２１７Ｂと、を含むハーネス型安全帯２と、前記作業者の胴に装着される胴ベルト３０１と、前記胴ベルトと一体に設けられ、前記バックルに対して着脱自在に装着される連結金具３０４Ａ，３０４Ｂと、を含む胴ベルト型安全帯３と、を備えた安全帯１である。【選択図】図７Ａ
2018171192.tif 000002
【特許請求の範囲】
【請求項１】
作業者の肩部に装着される肩ベルトと、前記肩ベルトと一体に設けられ、前記作業者の腿部に装着される腿ベルトと、前記肩ベルト及び前記腿ベルトの結合位置において前記肩ベルト及び前記腿ベルトとともに一体に設けられるバックルと、を含むハーネス型安全帯と、
前記作業者の胴に装着される胴ベルトと、前記胴ベルトと一体に設けられ、前記バックルに対して着脱自在に装着される連結金具と、を含む胴ベルト型安全帯と、
を備えたことを特徴とする安全帯。
【請求項２】
前記連結金具は、前記バックルに嵌入される嵌入片と、前記嵌入片が前記バックルの方向を向いた状態で前記胴ベルトが挿通される挿通孔と、を含む
ことを特徴とする請求項１に記載の安全帯。
【請求項３】
前記胴ベルト型安全帯は、前記胴ベルトに重なり合って装着される補助ベルトを含み、
前記連結金具は、前記嵌入片及び前記挿通孔が一体に設けられる金具本体を含み、
前記金具本体は、前記嵌入片が前記補助ベルトから遠ざかるように、前記嵌入片とは反対側の端から前記嵌入片に近づくにつれて傾斜する形状を呈する
ことを特徴とする請求項２に記載の安全帯。
【請求項４】
前記補助ベルトは、前記胴ベルトが挿通される環状金具を含み、
前記嵌入片は、前記連結金具が前記環状金具に隣り合った際に、前記連結金具に装着された前記バックルが前記環状金具に干渉しないように、前記金具本体から延在して形成される
ことを特徴とする請求項３に記載の安全帯。
【請求項５】
前記嵌入片は、前記連結金具が前記環状金具に隣り合った際に、前記環状金具から所定距離だけ離れるように、前記金具本体から延在して形成される
ことを特徴とする請求項４に記載の安全帯。
【請求項６】
前記挿通孔は、前記胴ベルトが挿通される方向に沿って隣り合って形成される一対の長孔である
ことを特徴とする請求項２〜請求項５の何れか一項に記載の安全帯。
【請求項７】
前記一対の長孔は、前記胴ベルトに臨む方向に対称的に傾斜して形成される
ことを特徴とする請求項６に記載の安全帯。
【発明の詳細な説明】
【技術分野】
【０００１】
本発明は、高所で作業を行う際に着用する安全帯に関する。
【背景技術】
【０００２】
高所で作業を行う作業者の墜落を阻止するための着用具として、胴ベルト型やハーネス型の安全帯が知られている（例えば特許文献１，２）。
【先行技術文献】
【特許文献】
【０００３】
【特許文献１】特開２００９−１１２３６９号公報
【特許文献２】特開２０１３−８１５９７号公報
【発明の概要】
【発明が解決しようとする課題】
【０００４】
胴ベルト型の安全帯は、作業者の胴の周囲に装着される胴ベルトと、構造物と胴ベルトとの間に繋がれる命綱（ロープ、ストラップ等）と、を含んで構成されている。胴ベルト型の安全帯の場合、電力線が架設された電柱上における保守点検作業に適した構造を有しているが、作業者が足場を誤って踏み外してしまった場合、墜落の際の衝撃が作業者の腰に集中し、腰を痛める虞があった。一方、ハーネス型の安全帯は、作業者の肩及び腿に連続するように装着されるベルトと、構造物とベルトとの間に繋がれる命綱（ロープ、ストラップ等）と、を含んで構成されている。ハーネス型の安全帯の場合、電力線が架設された電柱上における保守点検作業に適した構造を有している訳ではないが、作業者が誤って足場を踏み外してしまった場合であっても、墜落の際の衝撃が作業者の両肩及び両腿に分散し、作業者の１箇所に集中するようなことはない。このように、胴ベルト型及びハーネス型の安全帯は、夫々固有の構造を有していることから、高所作業の内容に応じて使い分けられているのが現状である。
【０００５】
そこで、本発明は、胴ベルト型及びハーネス型の安全帯を着脱可能な構造を有する安全帯を提供することを目的とする。
【課題を解決するための手段】
【０００６】
前述した課題を解決する主たる本発明は、作業者の肩部に装着される肩ベルトと、前記肩ベルトと一体に設けられ、前記作業者の腿部に装着される腿ベルトと、前記肩ベルト及び前記腿ベルトの結合位置において前記肩ベルト及び前記腿ベルトとともに一体に設けられるバックルと、を含むハーネス型安全帯と、前記作業者の胴に装着される胴ベルトと、前記胴ベルトと一体に設けられ、前記バックルに対して着脱自在に装着される連結金具と、を含む胴ベルト型安全帯と、を備えた安全帯である。
【０００７】
本発明の他の特徴については、添付図面及び本明細書の記載により明らかとなる。
【発明の効果】
【０００８】
本発明によれば、高所作業の内容に応じて、ハーネス型安全帯及び胴ベルト型安全帯を一体として使用することも別体として使用することも可能になる。
【図面の簡単な説明】
【０００９】
【図１】本実施形態に係る安全帯の一部を構成するハーネス型安全帯であって、作業者の背部となる側から示す図である。
【図２】本実施形態に係る安全帯の他の一部を構成する胴ベルト型安全帯を示す図である。
【図３Ａ】本実施形態に係る安全帯の他の一部を構成する胴ベルト型安全帯に装着される一方の連結金具を示す斜視図である。
【図３Ｂ】本実施形態に係る安全帯の他の一部を構成する胴ベルト型安全帯に装着される他方の連結金具を示す斜視図である。
【図４Ａ】本実施形態に係る安全帯において、一方の連結金具を図３Ａにおける＋Ｙの側から−Ｙの側を眺めたときの平面図である。
【図４Ｂ】本実施形態に係る安全帯において、他方の連結金具を図３Ｂにおける−Ｙの側から＋Ｙの側を眺めたときの平面図である。
【図５Ａ】本実施形態に係る安全帯において、一方の連結金具を図３Ａにおける＋Ｘの側から−Ｘの側を眺めたときの平面図である。
【図５Ｂ】本実施形態に係る安全帯において、一方の連結金具を図３Ｂにおける＋Ｘの側から−Ｘの側を眺めたときの平面図である。
【図６】本実施形態に係る安全帯において、一方の連結金具が環状金具に隣り合っている様子を示す図である。
【図７Ａ】本実施形態に係る安全帯において、バックルに連結金具を連結する前の状態を作業者の背部となる側から示す図である。
【図７Ｂ】本実施形態に係る安全帯において、バックルに連結金具を連結した後の状態を作業者の背部となる側から示す図である。
【図８Ａ】本実施形態に係る安全帯を着用した状態において、バックルに連結金具を連結する前の状態を作業者の背部の側から示す図である。
【図８Ｂ】本実施形態に係る安全帯を着用した状態において、バックルに連結金具を連結した後の様子を作業者の背部の側から示す図である。
【図９】作業者が本実施形態に係る安全帯を着用し、電柱上において高所作業を行う様子を示す図である。
【発明を実施するための形態】
【００１０】
本明細書および添付図面の記載により、少なくとも以下の事項が明らかとなる。
【００１１】
図１は、本実施形態に係る安全帯の一部を構成するハーネス型安全帯であって、作業者の背部の側から示す図である。図２は、本実施形態に係る安全帯の他の一部を構成する胴ベルト型安全帯を示す図である。図３Ａは、本実施形態に係る安全帯の他の一部を構成する胴ベルト型安全帯に装着される一方の連結金具を示す斜視図である。図３Ｂは、本実施形態に係る安全帯の他の一部を構成する胴ベルト型安全帯に装着される他方の連結金具を示す斜視図である。図４Ａは、本実施形態に係る安全帯において、一方の連結金具を図３Ａにおける＋Ｙの側から−Ｙの側を眺めたときの平面図である。図４Ｂは、本実施形態に係る安全帯において、他方の連結金具を図３Ｂにおける−Ｙの側から＋Ｙの側を眺めたときの平面図である。図５Ａは、本実施形態に係る安全帯において、一方の連結金具を図３Ａにおける＋Ｘの側から−Ｘの側を眺めたときの平面図である。図５Ｂは、本実施形態に係る安全帯において、一方の連結金具を図３Ｂにおける＋Ｘの側から−Ｘの側を眺めたときの平面図である。尚、Ｘ軸は後述する挿通孔の長手方向に沿う軸であり、Ｙ軸は後述する胴ベルトを挿通孔に挿通する方向に沿う軸であり、Ｚ軸はＸ軸及びＹ軸に直交する軸である。図６は、本実施形態に係る安全帯において、一方の連結金具が環状金具に隣り合っている様子を示す図である。図７Ａは、本実施形態に係る安全帯において、バックルに連結金具を連結する前の状態を作業者の背部となる側から示す図である。図７Ｂは、本実施形態に係る安全帯において、バックルに連結金具を連結した後の状態を作業者の背部となる側から示す図である。図８Ａは、本実施形態に係る安全帯を着用した状態において、バックルに連結金具を連結する前の状態を作業者の背部の側から示す部分拡大図である。図８Ｂは、本実施形態に係る安全帯を着用した状態において、バックルに連結金具を連結した後の様子を作業者の背部の側から示す部分拡大図である。図９は、作業者が本実施形態に係る安全帯を着用し、電柱上において高所作業を行う様子を示す図である。
【００１２】
以下、図１〜図９を参照しつつ、本実施形態に係る安全帯について説明する。
【００１３】
＝＝＝安全帯の構成例＝＝＝
安全帯１は、作業者が高所作業を行う際に墜落しないように着用する着用具であって、ハーネス型安全帯２と、ハーネス型安全帯２に対して着脱可能な胴ベルト型安全帯３と、を含んで構成されている。尚、ハーネス型安全帯２及び胴ベルト型安全帯３を着脱する手段としてバックルを使用するが、バックルとして、例えば槍形状を呈する嵌入片が嵌入されるサイドリリース型のバックルを使用することとする。そして、バックルは、素材として例えばポリアセタールを用いて形成されている。
【００１４】
＜＜ハーネス型安全帯の一例＞＞
ハーネス型安全帯２は、一対の肩ベルト２０１Ａ，２０１Ｂと、胸ベルト２０２と、一対の腿ベルト２０３Ａ，２０３Ｂと、一対の中継ベルト２０４Ａ，２０４Ｂ，２０５Ａ，２０５Ｂ，２１８Ａ，２１８Ｂと、尻当て２０６と、ランヤード（命綱）２０７と、一対のバックル２１７Ａ，２１７Ｂと、を含んで構成されている。ベルト２０１Ａ，２０１Ｂ，２０２，２０３Ａ，２０３Ｂ，２０４Ａ，２０４Ｂ，２０５Ａ，２０５Ｂと尻当て２０６は、素材として例えばナイロンを用いて形成されている。又、ランヤード２０７は、中芯の素材として例えばアラミド繊維を用い、表皮の素材として例えばポリエステル繊維を用いて形成されている。又、ランヤード２０７は、ハーネス型安全帯２を構造物（不図示）に引っ掛けるためのフック２０８を含み、フック２０８は、素材として例えばクロムモリブデンやアルミ軽合金等を用いて形成されている。
【００１５】
作業者の右肩部及び左肩部に夫々対応する肩ベルト２０１Ａ，２０１Ｂは、長尺形状を呈し、作業者がハーネス型安全帯２を装着したときに作業者の背部に対向する位置において交差した形状（たすき掛けの形状）を呈するように結合されている。肩ベルト２０１Ａは、作業者の右腕を通して右肩部に装着されるように、作業者の右腰部に対向する位置において肩ベルト２０１Ａ全体が環形状を呈するように縫合されている。肩ベルト２０１Ａは、作業者の右胸部に対向する位置に肩ベルト２０１Ａの長さを調節するためのベルト止め２０９Ａを有している。同様に、肩ベルト２０１Ｂは、作業者の左腕を通して左肩部に装着されるように、作業者の左腰部に対向する位置において肩ベルト２０１Ｂ全体が環形状を呈するように縫合されている。肩ベルト２０１Ｂは、作業者の右胸部に対向する位置に肩ベルト２０１Ｂの長さを調節するためのベルト止め２０９Ｂを有している。
【００１６】
中継ベルト２０４Ａ，２０５Ａは、肩ベルト２０１Ａの縫合位置２１０Ａから先に延びる２本のベルトであって、肩ベルト２０１Ａと腿ベルト２０３Ａとの間を中継する。つまり、中継ベルト２０４Ａ，２０５Ａにおける肩ベルト２０１Ａとは反対側の端部は、環形状を呈する腿ベルト２０３Ａと縫合されている。同様に、中継ベルト２０４Ｂ，２０５Ｂは、肩ベルト２０１Ｂの縫合位置２１０Ｂから先に延びる２本のベルトであって、肩ベルト２０１Ｂと腿ベルト２０３Ｂとの間を中継する。つまり、中継ベルト２０４Ｂ，２０５Ｂにおける肩ベルト２０１Ｂとは反対側の端部は、環形状を呈する腿ベルト２０３Ｂと縫合されている。肩ベルト２０１Ａ，２０１Ｂは、作業者の背部と対向する交差位置２１１を境として左右対称となるように形成されている。
【００１７】
胸ベルト２０２は、長尺形状を呈し、例えば肩ベルト２０１Ａにおける作業者の右胸部に対向する位置に縫合されている。胸ベルト２０２の先端には、槍形状を呈する嵌入片２１２がベルト２取り付けられている。バックル２１３は、嵌入片２１２が着脱自在に装着され、肩ベルト２０１Ｂにおける作業者の左胸部に対向する位置であって嵌入片２１２が嵌入される位置に取り付けられている。嵌入片２１２がバックル２１３に嵌入されると、肩ベルト２０１Ａ，２０１Ｂが胸ベルト２０２を介して結合され、肩ベルト２０１Ａ，２０１Ｂは作業者の右肩部及び左肩部から外れなくなる。
【００１８】
作業者の右腿部に対応する腿ベルト２０３Ａは、長尺形状を呈し、作業者の右脚を通して右腿部に装着されるように環形状に結合されている。腿ベルト２０３Ａは、作業者の右腿部に対向する位置に腿ベルト２０３Ａの長さを調節するためのベルト止め２１４Ａを有している。そして、腿ベルト２０３Ａは、ベルト止め２１４Ａが作業者の右腿部に対向する位置となるように、中継ベルト２０４Ａ，２０５Ａの端部に縫合されている。同様に、作業者の左腿部に対応する腿ベルト２０３Ｂは、長尺形状を呈し、作業者の左脚を通して左腿部に装着されるように環形状に結合されている。腿ベルト２０３Ｂは、作業者の左腿部に対向する位置に腿ベルト２０３Ｂの長さを調節するためのベルト止め２１４Ｂを有している。そして、腿ベルト２０３Ｂは、ベルト止め２１４Ｂが作業者の左腿部に対向する位置となるように、中継ベルト２０４Ｂ，２０５Ｂの端部に縫合されている。腿ベルト２０３Ａ，２０３Ｂは、作業者の背部と対向する肩ベルト２０１Ａ，２０１Ｂの交差位置２１１を境として左右対称となるように形成されている。
【００１９】
尻当て２０６は長尺形状を呈し、尻当て２０６の両端は腿ベルト２０３Ａ，２０３Ｂにおける作業者の臀部に対向する位置に縫合されている。
【００２０】
肩ベルト２０１Ａ，２０１Ｂの交差位置２１１には中継ベルト２１５を介して例えばＤ形状を呈する環状金具２１６が取り付けられ、環状金具２１６にはフック２０８が取り付けられている側とは反対側のランヤード２０７の端部が取り付けられている。
【００２１】
バックル２１７Ａは、中継ベルト２１８Ａに取り付けられ、中継ベルト２１８Ａのバックル２１７Ａとは反対側の端部は、作業者の右腰部の位置となる縫合位置２１０Ａに重なるように縫合されている。バックル２１７Ｂは、中継ベルト２１８Ｂに取り付けられ、中継ベルト２１８Ｂのバックル２１７Ｂとは反対側の端部は、作業者の左腰部の位置となる縫合位置２１０Ｂに重なるように縫合されている。
【００２２】
以上説明したような構成を備えているハーネス型安全帯２は、嵌入片２１２をバックル２１３に嵌入し、肩ベルト２０１Ａ，２０１Ｂ及び腿ベルト２０３Ａ，２０３Ｂの長さを調節することによって、単体で着用することも可能である。
【００２３】
＜＜胴ベルト型安全帯の一例＞＞
胴ベルト型安全帯３は、胴ベルト３０１と、補助ベルト３０２と、Ｄ型の環状金具３０３Ａ，３０３Ｂ，３０３Ｃと、連結金具３０４Ａ，３０４Ｂと、を含んで構成されている。胴ベルト３０１及び補助ベルト３０２は、素材として例えばナイロンを用いて形成されている。
【００２４】
胴ベルト３０１は、作業者の胴部に装着されるように長尺形状を呈している。胴ベルト３０１には、作業者が胴ベルト３０１を装着したときに作業者の右腰部となる位置に連結金具３０４Ａが着脱自在に装着され、作業者が胴ベルト３０１を装着したときに作業者の左腰部となる位置に連結金具３０４Ｂが着脱自在に装着されている。
【００２５】
補助ベルト３０２は、作業者の胴部に胴ベルト３０１と重なり合って装着されるように長尺形状を呈している。補助ベルト３０２の幅は胴ベルト３０１の幅に比べて広く、補助ベルト３０２の長さは胴ベルト３０１の長さに比べて短く形成されている。補助ベルト３０２は、作業者が補助ベルト３０２を装着したときに作業者の右腰部、左腰部、後腰部となる３か所の位置に胴ベルト３０１を通して押えるためのベルト押え３０５Ａ，３０５Ｂ，３０５Ｃを有している。更に、補助ベルト３０２は、作業者が補助ベルト３０２を装着したときに作業者の右腰部となる位置（ベルト押え３０５Ａに隣り合う位置）に環状金具３０３Ａを有し、作業者が補助ベルト３０２を装着したときに作業者の左腰部となる位置（ベルト押え３０５Ｂに隣り合う位置）に環状金具３０３Ｂを有し、作業者が補助ベルト３０２を装着したときに作業者の右腰部と後腰部との間となる位置に環状金具３０３Ｃを有している。
【００２６】
胴ベルト３０１は、補助ベルト３０２の環状金具３０３Ａ，３０３Ｂ，３０３Ｃ及びベルト押え３０５Ａ，３０５Ｂ，３０５Ｃに通すことによって、補助ベルト３０２に重なり合うように装着される。このとき、連結金具３０４Ａは、環状金具３０３Ａのベルト押え３０５Ａとは反対側であって環状金具３０３Ａ，３０３Ｃの間に装着され、連結金具３０４Ｂは、環状金具３０３Ｂのベルト押え３０５Ｂとは反対側に装着される。
【００２７】
＜＜連結金具の一例＞＞
連結金具３０４Ａは、金具本体３０６Ａと、嵌入片３０７Ａと、挿通孔３０８Ａ，３０９Ａを含んで構成されている。嵌入片３０７Ａ及び挿通孔３０８Ａ，３０９Ａは、金具本体３０６Ａに対して一体に設けられている。
【００２８】
嵌入片３０７Ａは、ハーネス型安全帯２のバックル２１７Ａに嵌入される槍形状を呈する１個の突出片である。嵌入片３０７Ａは、バックル２１７Ａと向き合うように金具本体３０６Ａから斜めに突出して形成されている。上記の斜めの方向とは、胴ベルト３０１の長手方向とは直交する方向を基準としてベルト押え３０５Ｃの側に傾いた方向のことである。連結金具３０４Ａは、環状金具３０３Ａ，３０３Ｃで挟まれる領域において胴ベルト３０１の長手方向に沿ってスライド可能であって、作業者がハーネス型安全帯２と胴ベルト型安全帯３をともに着用して作業を行う状況によっては、連結金具３０４Ａが環状金具３０３Ｃに隣り合う場合がある。この場合、嵌入片３０７Ａが環状金具３０３Ｃの側に傾いていることから、バックル２１７Ａが連結金具３０４Ａと連結された際に環状金具３０３Ｃに干渉する虞がある。そこで、図６に示すように、嵌入片３０７Ａは、バックル２１７Ａが環状金具３０３Ｃに干渉しないように、胴ベルト３０１の長手方向とは直交する方向において環状金具３０３Ｃから所定距離Ｘだけ離れた位置まで金具本体３０６Ａから延在して形成されている。
【００２９】
挿通孔３０８Ａ，３０９Ａは、胴ベルト３０１が挿通される一対の長孔である。挿通孔３０８Ａ，３０９Ａは、胴ベルト３０１が挿通される方向に沿って隣り合って形成されている。更に、図５Ａに示すように、挿通孔３０８Ａ，３０９Ａは、胴ベルト３０１の挿通が容易となるように、胴ベルト３０１に臨む方向に対称的に傾斜して形成されている。
【００３０】
胴ベルト３０１及び補助ベルト３０２は重なり合っていることから、バックル２１７Ａが連結金具３０４Ａと連結された際に補助ベルト３０２に干渉する虞がある。そこで、金具本体３０６Ａは、バックル２１７Ａが補助ベルト３０２に干渉しないように、胴ベルト３０１と対向する側の面が凹んでなる湾曲形状を呈し、且つ、嵌入片３０７Ａとは反対側の端から嵌入片３０７Ａに近づくにつれて、嵌入片３０７Ａが胴ベルト３０１から遠ざかる方向に傾斜する形状を呈する傾斜面３１０Ａを有している。
【００３１】
連結金具３０４Ｂは、金具本体３０６Ｂと、嵌入片３０７Ｂと、挿通孔３０８Ｂ，３０９Ｂを含んで構成されている。嵌入片３０７Ｂ及び挿通孔３０８Ｂ，３０９Ｂは、金具本体３０６Ｂに対して一体に設けられている。
【００３２】
嵌入片３０７Ｂは、ハーネス型安全帯２のバックル２１７Ｂに嵌入される槍形状を呈する１個の突出片である。嵌入片３０７Ｂは、バックル２１７Ｂと向き合うように金具本体３０６Ｂから斜めに突出して形成されている。上記の斜めの方向とは、胴ベルト３０１の長手方向とは直交する方向を基準としてベルト押え３０５Ｃの側に対称的に傾いた方向である。嵌入片３０７Ｂは、嵌入片３０７Ａとは対称的な形状を呈することとなる。
【００３３】
挿通孔３０８Ｂ，３０９Ｂは、胴ベルト３０１が挿通される一対の長孔である。挿通孔３０８Ｂ，３０９Ｂは、胴ベルト３０１が挿通される方向に沿って隣り合って形成されている。更に、図５Ｂに示すように、挿通孔３０８Ｂ，３０９Ｂは、胴ベルト３０１の挿通が容易となるように、胴ベルト３０１に臨む方向に対称的に傾斜して形成されている。
【００３４】
胴ベルト３０１及び補助ベルト３０２は重なり合っていることから、バックル２１７Ｂが連結金具３０４Ｂと連結された際に補助ベルト３０２に干渉する虞がある。そこで、金具本体３０６Ｂは、バックル２１７Ｂが補助ベルト３０２に干渉しないように、胴ベルト３０１と対向する側の面が凹んでなる湾曲形状を呈し、且つ、嵌入片３０７Ｂとは反対側の端から嵌入片３０７Ｂに近づくにつれて、嵌入片３０７Ｂが胴ベルト３０１から遠ざかる方向に傾斜する形状を呈する傾斜面３１０Ｂを有している。
【００３５】
尚、作業者が補助ベルト３０２を装着したときに作業者の左腰部と後腰部との間となる位置に環状金具３０３Ｃと同様の環状金具（不図示）を設ける場合、嵌入片３０７Ｂは、バックル２１７Ｂが上記の環状金具に干渉しないように、胴ベルト３０１の長手方向とは直交する方向において上記の環状金具から所定距離Ｘだけ離れた位置まで金具本体３０６Ｂから延在して形成されることとなる。
【００３６】
以上説明したような構成を備えている胴ベルト型安全帯３は、バックル２１７Ａ，２１７Ｂのそれぞれに嵌入片３０７Ａ，３０７Ｂを嵌入し、肩ベルト２０１Ａ，２０１Ｂ及び腿ベルト２０３Ａ，２０３Ｂの長さを調節することによって、ハーネス型安全帯２と一体で着用することが可能になる。例えば電力線が架設される電柱上において保守点検作業等の高所作業を行う際に安全帯１を着用する場合、胴ベルト型安全帯３の環状金具３０３Ａ，３０３Ｂに対してランヤード２０７を取り付けるか、ランヤード２０７とは別のランヤード（不図示）を取り付けて、Ｕ字吊りの機能を実現すればよい。又、胴ベルト型安全帯３は、雄側バックル３Ｆ，３Ｇの夫々を雌側バックル２ＪＮ，２ＭＮに嵌入せず、バックル２１７Ａ，２１７Ｂのそれぞれに嵌入片３０７Ａ，３０７Ｂを嵌入しないことによって、単体で着用することも可能である。例えば電力線が架設される電柱上において保守点検作業等の高所作業を行う際に胴ベルト型安全帯３を着用する場合、胴ベルト型安全帯３の環状金具３０３Ａ，３０３Ｂに対してランヤード２０７を取り付けて、Ｕ字吊りの機能を実現すればよい。
【００３７】
＝＝＝安全帯の着用手順の一例＝＝＝
先ず、作業者は、腿ベルト２０３Ａに右脚を通して腿ベルト２０３Ａを右腿部に装着し、腿ベルト２０３Ｂに左脚を通して腿ベルト２０３Ｂを左脚部に装着し、肩ベルト２０１Ａに右腕を通して肩ベルト２０１Ａを右肩部に装着し、肩ベルト２０１Ｂに左腕を通して肩ベルト２０１Ｂを左肩部に装着する。
【００３８】
次に、作業者は、バックル２１３に嵌入片２１２を嵌入し、胸ベルト２０２を介して肩ベルト２０１Ａ，２０１Ｂを結合する。
【００３９】
次に、作業者は、肩ベルト２０１Ａ，２０１Ｂ及び腿ベルト２０３Ａ，２０３Ｂの長さを最適な長さとなるように調節する。尚、上記の着用手順のみを実施することによって、ハーネス型安全帯２を単体で使用することも可能である。
【００４０】
次に、作業者は、胴ベルト型安全帯３を手にとってバックル２１７Ａ，２１７Ｂのそれぞれに嵌入片３０７Ａ，３０７Ｂを嵌入し、ハーネス型安全帯２及び胴ベルト型安全帯３を連結する。
【００４１】
次に、作業者は、胴ベルト型安全帯３を作業者の胴周りに装着する。
【００４２】
最後に、作業者は、作業内容に応じて、ランヤード２０７をハーネス型安全帯２の環状金具２１６に取り付けるか胴ベルト型安全帯３の環状金具３０３Ａ，３０３Ｂに取り付ける。
【００４３】
このようにして、作業者は、高所作業を行うことが可能になる。
【００４４】
＝＝＝まとめ＝＝＝
以上説明したように、本実施形態に係る安全帯１は、作業者の肩部に装着される肩ベルト２０１Ａ（２０１Ｂ）と、肩ベルト２０１Ａ（２０１Ｂ）と一体に設けられ、作業者の腿部に装着される腿ベルト２０３Ａ（２０３Ｂ）と、肩ベルト２０１Ａ（２０１Ｂ）及び腿ベルト２０３Ａ（２０３Ｂ）の結合位置２１０Ａ（２１０Ｂ）において肩ベルト２０１Ａ（２０１Ｂ）及び腿ベルト２０３Ａ（２０３Ｂ）とともに一体に設けられるバックル２１７Ａ（２１７Ｂ）と、を含むハーネス型安全帯２と、作業者の胴に装着される胴ベルト３０１と、胴ベルト３０１と一体に設けられ、バックル２１７Ａ（２１７Ｂ）に対して着脱自在に装着される連結金具３０４Ａ（３０４Ｂ）と、を含む胴ベルト型安全帯３と、を備えている。本実施形態によれば、高所作業の内容に応じて、ハーネス型安全帯２及び胴ベルト型安全帯３を一体として使用することも別体として使用することも可能になる。更に、バックル２１７Ａ（２１７Ｂ）は、ハーネス型安全帯２の縫合位置２１０Ａ（２１０Ｂ）に中継ベルト２１８Ａ（２１８Ｂ）を介して取り付けられる付属部品であって、ハーネス型安全帯２の使用に支障を来すことがないため、作業者が安全帯１を着用して高所作業を行っている最中に落下した場合であっても、ハーネス型安全帯２に加わる荷重は胴ベルト型安全帯３に伝わらず、作業者の怪我を最小限に抑えることが可能になる。
【００４５】
又、本実施形態に係る安全帯１において、連結金具３０４Ａ（３０４Ｂ）は、バックル２１７Ａ（２１７Ｂ）に嵌入される嵌入片３０７Ａ（３０７Ｂ）と、嵌入片３０７Ａ（３０７Ｂ）がバックル２１７Ａ（２１７Ｂ）の方向を向いた状態で胴ベルト３０１が挿通される挿通孔３０８Ａ，３０９Ａ（３０８Ｂ，３０９Ｂ）と、を含む。
【００４６】
又、本実施形態に係る安全帯１において、胴ベルト型安全帯３は、胴ベルト３０１に重なり合って装着される補助ベルト３０２を含み、連結金具３０４Ａ（３０４Ｂ）は、嵌入片３０７Ａ（３０７Ｂ）及び挿通孔３０８Ａ，３０９Ａ（３０８Ｂ，３０９Ｂ）が一体に設けられる金具本体３０６Ａ（３０６Ｂ）を含み、金具本体３０６Ａ（３０６Ｂ）は、バックル２１７Ａ（２１７Ｂ）が補助ベルト３０２に干渉しないように、嵌入片３０７Ａ（３０７Ｂ）とは反対側の端から嵌入片３０７Ａ（３０７Ｂ）に近づくにつれて、嵌入片３０７Ａ（３０７Ｂ）が補助ベルト３０２から遠ざかる方向に傾斜する形状を呈する傾斜面３１０Ａ（３０１Ｂ）を有している。
【００４７】
又、本実施形態に係る安全帯１において、補助ベルト３０２は、胴ベルト３０１が挿通される環状金具３０３Ａ，３０３Ｂ，３０３Ｃを含み、嵌入片３０７Ａは、連結金具３０４Ａが環状金具３０３Ｃに隣り合った際に、連結金具３０４Ａに装着されたバックル２１７Ａが環状金具３０３Ｃに干渉しないように、金具本体３０６Ａから延在して形成されている。特に、嵌入片３０７Ａは、胴ベルト３０１の長手方向とは直交する方向において、環状金具３０３Ｃから所定距離Ｘだけ離れるように、金具本体３０６Ａから延在して形成されている。
【００４８】
又、本実施形態に係る安全帯１において、挿通孔３０８Ａ，３０９Ａ（３０８Ｂ，３０９Ｂ）は、胴ベルト３０１が挿通される方向に沿って隣り合って形成される一対の長孔である。特に、挿通孔３０８Ａ，３０９Ａ（３０８Ｂ，３０９Ｂ）は、胴ベルト３０１に臨む方向に対称的に傾斜して形成されている。
【００４９】
尚、上記の実施形態は、本発明の理解を容易にするためのものであり、本発明を限定して解釈するためのものではない。本発明は、その趣旨を逸脱することなく、変更、改良され得るとともに、本発明にはその等価物も含まれる。
【００５０】
例えば、作業者がハーネス型安全帯２のみを着用する場合、バックル２１７Ａ（２１７Ｂ）に嵌入する嵌入片を有する工具吊下具（不図示）を装着し、電柱上において高所作業を行う際に必要となる工具類を携行することとしてもよい。
【符号の説明】
【００５１】
１  安全帯
２  ハーネス型安全帯
３  胴ベルト型安全帯
２０１Ａ，２０１Ｂ  肩ベルト
２０２  胸ベルト
２０３Ａ，２０３Ｂ  腿ベルト
２０４Ａ，２０４Ｂ，２０５Ａ，２０５Ｂ，２１５，２１８Ａ，２１８Ｂ  中継ベルト
２０６  尻当て
２０７  ランヤード
２０８  フック
２０９Ａ，２０９Ｂ，２１４Ａ，２１４Ｂ  ベルト止め
２１０Ａ，２１０Ｂ  縫合位置
２１１  交差位置
２１２  嵌入片
２１３，２１７Ａ，２１７Ｂ  バックル
２１６  環状金具
３０１  胴ベルト
３０２  補助ベルト
３０３Ａ，３０３Ｂ，３０３Ｃ  環状金具
３０４Ａ，３０４Ｂ  連結金具
３０５Ａ，３０５Ｂ，３０５Ｃ  ベルト押え
３０６Ａ，３０６Ｂ  金具本体
３０７Ａ，３０７Ｂ  嵌入片
３０８Ａ，３０８Ｂ，３０９Ａ，３０９Ｂ  挿通孔
３１０Ａ，３１０Ｂ  傾斜面
【図１】
2018171192.tif 000003
【図２】
2018171192.tif 000004
【図３Ａ】
2018171192.tif 000005
【図３Ｂ】
2018171192.tif 000006
【図４Ａ】
2018171192.tif 000007
【図４Ｂ】
2018171192.tif 000008
【図５Ａ】
2018171192.tif 000009
【図５Ｂ】
2018171192.tif 000010
【図６】
2018171192.tif 000011
【図７Ａ】
2018171192.tif 000012
【図７Ｂ】
2018171192.tif 000013
【図８Ａ】
2018171192.tif 000014
【図８Ｂ】
2018171192.tif 000015
【図９】
2018171192.tif 000016
【手続補正書】
【提出日】平成30年3月28日(2018.3.28)
【手続補正１】
【補正対象書類名】特許請求の範囲
【補正対象項目名】全文
【補正方法】変更
【補正の内容】
【特許請求の範囲】
【請求項１】
作業者の肩部に装着される肩ベルトと、前記肩ベルトと一体に設けられ、前記作業者の腿部に装着される腿ベルトと、前記肩ベルト及び前記腿ベルトの結合位置において前記肩ベルト及び前記腿ベルトとともに一体に設けられるバックルと、を含むハーネス型安全帯と、
前記作業者の胴に装着される胴ベルトと、前記胴ベルトと一体に設けられ、前記バックルに対して着脱自在に装着される連結金具と、前記胴ベルトに重なり合って装着される補助ベルトと、を含む胴ベルト型安全帯と、
を備え、
前記連結金具は、前記バックルに嵌入される嵌入片と、前記嵌入片が前記バックルの方向を向いた状態で前記胴ベルトが挿通される挿通孔と、前記嵌入片及び前記挿通孔が一体に設けられる金具本体と、を含み、
前記金具本体は、前記嵌入片が前記補助ベルトから遠ざかるように、前記嵌入片とは反対側の端から前記嵌入片に近づくにつれて傾斜する形状を呈する
ことを特徴とする安全帯。
【請求項２】
前記補助ベルトは、前記胴ベルトが挿通される環状金具を含み、
前記嵌入片は、前記連結金具が前記環状金具に隣り合った際に、前記連結金具に装着された前記バックルが前記環状金具に干渉しないように、前記金具本体から延在して形成される
ことを特徴とする請求項１に記載の安全帯。
【請求項３】
前記嵌入片は、前記連結金具が前記環状金具に隣り合った際に、前記環状金具から所定距離だけ離れるように、前記金具本体から延在して形成される
ことを特徴とする請求項２に記載の安全帯。
【請求項４】
前記挿通孔は、前記胴ベルトが挿通される方向に沿って隣り合って形成される一対の長孔である
ことを特徴とする請求項１〜請求項３の何れか一項に記載の安全帯。
【請求項５】
前記一対の長孔は、前記胴ベルトに臨む方向に対称的に傾斜して形成される
ことを特徴とする請求項４に記載の安全帯。
【手続補正２】
【補正対象書類名】明細書
【補正対象項目名】０００６
【補正方法】変更
【補正の内容】
【０００６】
前述した課題を解決する主たる本発明は、作業者の肩部に装着される肩ベルトと、前記肩ベルトと一体に設けられ、前記作業者の腿部に装着される腿ベルトと、前記肩ベルト及び前記腿ベルトの結合位置において前記肩ベルト及び前記腿ベルトとともに一体に設けられるバックルと、を含むハーネス型安全帯と、前記作業者の胴に装着される胴ベルトと、前記胴ベルトと一体に設けられ、前記バックルに対して着脱自在に装着される連結金具と、前記胴ベルトに重なり合って装着される補助ベルトと、を含む胴ベルト型安全帯と、を備えた安全帯であって、前記連結金具は、前記バックルに嵌入される嵌入片と、前記嵌入片が前記バックルの方向を向いた状態で前記胴ベルトが挿通される挿通孔と、前記嵌入片及び前記挿通孔が一体に設けられる金具本体と、を含み、前記金具本体は、前記嵌入片が前記補助ベルトから遠ざかるように、前記嵌入片とは反対側の端から前記嵌入片に近づくにつれて傾斜する形状を呈する。